(57)【要約】  盗難防止機能を有する物品位置追跡装置が提供される。本発明の一実施例に係る盗難防止機能を有する物品位置追跡装置は、磁場を検出するための磁力感知センサおよび物品の状態情報を検出するための少なくとも一つの状態感知センサを含むセンシング部と、前記センシング部を通じて獲得された情報を外部に送出するための通信モジュールを含むトラッカー本体；前記トラッカー本体が挿入される挿入空間を備え、前記トラッカー本体を前記物品に固定できるように前記物品に固定設置される函体状のブラケット；および前記磁力感知センサ側に前記トラッカー本体とブラケットとの分離の有無を検出するための磁場を提供できるように前記挿入空間に配置される永久磁石；を含む。
2021514085.tif 000002
【特許請求の範囲】
【請求項１】
磁場を検出するための磁力感知センサおよび物品の状態情報を検出するための少なくとも一つの状態感知センサを含むセンシング部と、前記センシング部を通じて獲得された情報を外部に送出するための通信モジュールを含むトラッカー本体；
前記トラッカー本体が挿入される挿入空間を備え、前記トラッカー本体を前記物品に固定できるように前記物品に固定設置される函体状のブラケット；および
前記磁力感知センサ側に前記トラッカー本体と前記ブラケットとの分離の有無を検出するための磁場を提供できるように前記挿入空間に配置される永久磁石；を含む、盗難防止機能を有する物品位置追跡装置。
【請求項２】
前記通信モジュールは前記磁力感知センサを通じて前記トラッカー本体と前記ブラケットとの分離情報が感知される場合、前記分離情報を外部に送出する、請求項１に記載の盗難防止機能を有する物品位置追跡装置。
【請求項３】
前記トラッカー本体は前記磁力感知センサを通じて前記トラッカー本体と前記ブラケットとの分離情報が感知される場合、警報音を発生させる通知部をさらに含む、請求項２に記載の盗難防止機能を有する物品位置追跡装置。
【請求項４】
前記物品の状態情報は、前記物品の位置情報、前記物品に加えられる外部衝撃の有無についての情報、並びに前記物品周辺の温度情報、湿度情報および気圧情報のうちいずれか一つ以上の情報を含む、請求項１に記載の盗難防止機能を有する物品位置追跡装置。
【請求項５】
前記トラッカー本体は、
上部が開放された収容空間を備えて前記ブラケットに着脱可能に結合される下部カバー；
前記センシング部および前記通信モジュールが実装され、前記収容空間に配置される少なくとも一つの回路基板；
前記収容空間に配置されて前記回路基板と電気的に連結されるバッテリー；
前記下部カバーの開放された上部を覆う上部カバー；および
前記トラッカー本体の全般的な動作を制御するための制御部；を含む、請求項１に記載の盗難防止機能を有する物品位置追跡装置。
【請求項６】
前記ブラケットは専用分離道具の進入を許容できるように、内面に高さ方向に沿って引き込まれて形成される複数のガイド溝を含む、請求項１に記載の盗難防止機能を有する物品位置追跡装置。
【請求項７】
前記複数のガイド溝は前記専用分離道具の進入時、加圧を通じて弾性的な変形が可能なように少なくとも一部が切開形成される、請求項６に記載の盗難防止機能を有する物品位置追跡装置。
【請求項８】
前記トラッカー本体は前記専用分離道具の一側が係止されて設置され得るように、周り方向に沿って引き込まれて形成される係止溝を含む、請求項６に記載の盗難防止機能を有する物品位置追跡装置。
【請求項９】
前記物品は前記ブラケットを締結するための装着ホールを含み、
前記ブラケットは外部面に外側に突出形成される少なくとも一つの突出部を含み、
前記ブラケットは前記装着ホールに挿入を通じて埋め立てされた後、前記少なくとも一つの突出部を通じて外部への離脱が防止される、請求項１に記載の盗難防止機能を有する物品位置追跡装置。
【請求項１０】
前記物品は前記ブラケットを締結するための装着ホールを含み、前記ブラケットおよび前記装着ホールは互いに対応するねじ部を通じてねじ結合される、請求項１に記載の盗難防止機能を有する物品位置追跡装置。
【請求項１１】
前記ブラケットは前記永久磁石を収容するための装着溝を含み、前記装着溝は前記挿入空間の底面から突出形成されるガイド部を通じて規定される、請求項１に記載の盗難防止機能を有する物品位置追跡装置。
【請求項１２】
前記ブラケットは前記物品との二重固定のための少なくとも一つの締結孔が前記挿入空間の底面に貫通形成される、請求項１に記載の盗難防止機能を有する物品位置追跡装置。
【請求項１３】
前記トラッカー本体は、前記ブラケットとの結合時に前記磁力感知センサを通じて前記永久磁石の磁力が感知される場合、電源が供給されて駆動される、請求項１に記載の盗難防止機能を有する物品位置追跡装置。
【発明の詳細な説明】
【技術分野】
【０００１】
本発明は盗難防止機能を有する物品位置追跡装置に関する。
【背景技術】
【０００２】
位置追跡装置は、物品に設置されて外部衝撃のような状況が発生する場合、これを周期的に通知してくれる装置である。
【０００３】
従来の位置追跡装置は特定物品、一例として、木材のｐａｌｌｅｔに孔を形成した後、前記孔に挿入してシリコンで孔を埋め立てる方式で設置されるか、接着剤を媒介にｐａｌｌｅｔの一側に付着した後、カバーを覆うことによって外部への露出を防止する方式で設置された。
【０００４】
しかし、従来の位置追跡装置は物品の位置に対する情報のみを周期的に伝送できるだけであって、物品に設置された位置追跡装置自体の盗難防止や不正脱着に対する通知情報を提供することができない。
【０００５】
これに伴い、従来の位置追跡装置は盗難の危険性を内包しており、盗難が発生しても盗難の発生時点が分からない問題がある。併せて、位置追跡装置が物品から分離されたり除去される場合、物品を管制するための位置追跡装置本来の機能自体が不可能な問題がある。
【発明の概要】
【発明が解決しようとする課題】
【０００６】
本発明は前記のような問題点を勘案して案出されたもので、物品位置追跡装置の盗難の有無を確認できるだけでなく、物品位置追跡装置自体の盗難を防止できる、盗難防止機能を有する物品位置追跡装置を提供することにその目的がある。
【課題を解決するための手段】
【０００７】
前述した課題を解決するために、本発明は磁場を検出するための磁力感知センサおよび物品の状態情報を検出するための少なくとも一つの状態感知センサを含むセンシング部と、前記センシング部を通じて獲得された情報を外部に送出するための通信モジュールを含むトラッカー本体；前記トラッカー本体が挿入される挿入空間を備え、前記トラッカー本体を前記物品に固定できるように前記物品に固定設置される函体状のブラケット；および前記磁力感知センサ側に前記トラッカー本体とブラケットとの分離の有無を検出するための磁場を提供できるように前記挿入空間に配置される永久磁石；を含む盗難防止機能を有する物品位置追跡装置を提供する。
【０００８】
また、前記通信モジュールは前記磁力感知センサを通じて前記トラッカー本体とブラケットとの分離情報が感知される場合、前記分離情報を外部に送出することができる。
【０００９】
また、前記トラッカー本体は前記磁力感知センサを通じて前記トラッカー本体とブラケットとの分離情報が感知される場合、警報音を発生させる通知部をさらに含むことができる。
【００１０】
また、前記物品の状態情報は前記物品の位置情報、前記物品に加えられる外部衝撃の有無についての情報、並びに前記物品周辺の温度情報、湿度情報および気圧情報のうちいずれか一つ以上の情報を含むことができる。
【００１１】
また、前記トラッカー本体は、上部が開放された収容空間を備えて前記ブラケットに着脱可能に結合される下部カバー；前記センシング部および通信モジュールが実装され、前記収容空間に配置される少なくとも一つの回路基板；前記収容空間に配置されて前記回路基板と電気的に連結されるバッテリー；前記下部カバーの開放された上部を覆う上部カバー；および前記トラッカー本体の全般的な動作を制御するための制御部；を含むことができる。
【００１２】
また、前記ブラケットは専用分離道具の進入を許容できるように内面に高さ方向に沿って引き込まれて形成される複数のガイド溝を含むことができる。
【００１３】
また、前記複数のガイド溝は前記専用分離道具の進入時、加圧を通じて弾性的な変形が可能なように少なくとも一部が切開形成され得る。
【００１４】
また、前記トラッカー本体は前記専用分離道具の一側が係止されて設置され得るように、周り方向に沿って引き込まれて形成される係止溝を含むことができる。
【００１５】
また、前記物品は前記ブラケットを締結するための装着ホールを含むことができ、前記ブラケットは外部面に外側に突出形成される少なくとも一つの突出部を含むことができ、前記ブラケットは前記装着ホールに挿入を通じて埋め立てされた後、前記少なくとも一つの突出部を通じて外部への離脱が防止され得る。
【００１６】
また、前記物品は前記ブラケットを締結するための装着ホールを含み、前記ブラケットおよび装着ホールは互いに対応するねじ部を通じてねじ結合され得る。
【００１７】
また、前記ブラケットは前記永久磁石を収容するための装着溝を含むことができ、前記装着溝は前記挿入空間の底面から突出形成されるガイド部を通じて規定され得る。
【００１８】
また、前記ブラケットは前記物品との二重固定のための少なくとも一つの締結孔が前記挿入空間の底面に貫通形成され得る。
【００１９】
また、前記トラッカー本体は前記ブラケットとの結合時に前記磁力感知センサを通じて前記永久磁石の磁力が感知される場合、電源が供給されて駆動され得る。
【発明の効果】
【００２０】
本発明によると、盗難状況に対する情報を伝送し、警報音を発生させて盗難を防止することによって、遠距離でも物品の管制を安全かつ信頼性があるように遂行することができる。
【図面の簡単な説明】
【００２１】
【図１】本発明の一実施例に係る盗難防止機能を有する物品位置追跡装置を示した概略図。
【図２】図１の分離図。
【図３】図１のブラケットを上部から見た図面。
【図４】本発明に係る盗難防止機能を有する物品位置追跡装置の主な構成を示したブロック図。
【図５】図４でセンシング部の細部構成を示したブロック図。
【図６】図１の使用状態図。
【図７】本発明の他の実施例に係る盗難防止機能を有する物品位置追跡装置を示した概略図。
【図８】図７の分離図。
【図９】図７のブラケットを上部および下部から見た図面。
【図１０】本発明のさらに他の実施例に係る盗難防止機能を有する物品位置追跡装置を示した概略図。
【図１１】図１０の分離図。
【図１２】本発明のさらに他の実施例に係る盗難防止機能を有する物品位置追跡装置を示した概略図。
【図１３】図１２の分離図。
【図１４】図１２でブラケットの一部を切開した断面図。
【図１５】図１２の使用状態図。
【図１６】本発明に係る盗難防止機能を有する物品位置追跡装置でトラッカー本体をブラケットから分離するのに使われ得る専用分離道具を示した図面。
【図１７】図１６を利用してトラッカー本体をブラケットから分離する過程を示した例示図。
【図１８】図１７で専用分離道具がブラケットの内部に進入した状態を示した部分断面図。
【図１９】本発明の一実施例に係る盗難防止機能を有する物品位置追跡装置に適用され得るトラッカー本体の他の形態を示した図面。
【図２０】図１９の分離図。
【図２１】図１９で端子部、バッテリー、回路基板が結合された状態を下部から見た図面。
【発明を実施するための形態】
【００２２】
以下、添付した図面を参照して本発明の実施例について、本発明が属する技術分野で通常の知識を有する者が容易に実施できるように詳細に説明する。本発明は多様な異なる形態で具現され得、ここで説明する実施例に限定されない。図面で本発明を明確に説明するために、説明と関係のない部分は省略し、明細書全体を通じて同一または類似する構成要素については同じ参照符号を付加する。
【００２３】
本発明の一実施例に係る盗難防止機能を有する物品位置追跡装置１００、２００、３００は、図１、図７および図１０に図示された通り、トラッカー本体１１０、ブラケット１２０、２２０、３２０および永久磁石１３０を含む。
【００２４】
このような物品位置追跡装置１００、２００、３００は前記ブラケット１２０、２２０、３２０が物品１０の一側に固定設置された状態で、前記トラッカー本体１１０および永久磁石１３０が前記ブラケット１２０、２２０、３２０の内部に収容されることによって、前記物品１０に固定設置され得る。
【００２５】
この時、前記トラッカー本体１１０は少なくとも一つの状態感知センサを含むことができる。これを通じて、前記トラッカー本体１１０はブラケット１２０、２２０、３２０を媒介として物品１０に固定設置された状態で、前記少なくとも一つの状態感知センサを通じて前記物品１０および物品１０周囲の多様な情報を獲得することができる。
【００２６】
また、前記物品位置追跡装置１００、２００、３００は前記トラッカー本体１１０がブラケット１２０、２２０、３２０から分離される場合、これを感知して分離情報を生成し、生成された分離情報を外部に送出することができる。
【００２７】
すなわち、前記物品位置追跡装置１００、２００、３２０は前記トラッカー本体１１０が盗難されたりブラケット１２０、２２０、３２０から強制的に分離される場合、これに対する情報を使用者または管理者に通知することができる。
【００２８】
これを通じて、前記物品位置追跡装置１００、２００、３００は前記トラッカー本体１１０の盗難を防止し、常に管理対象である物品１０に設置された状態を維持できることによって、前記物品１０に対する現在の状況をモニタリングすることができ、前記物品１０を持続的に管制することができる。
【００２９】
このために、前記トラッカー本体１１０は前記ブラケット１２０、２２０、３２０から分離されることを感知するための磁力感知センサ１１６ａを含むことができ、前記磁力感知センサ１１６ａを通じて獲得された分離情報を外部に送出するための通信モジュール１１７を含むことができる。
【００３０】
また、前記ブラケット１２０、２２０、３２０は図２、図８および図１１に図示された通り、前記永久磁石１３０およびトラッカー本体１１０を収容するための挿入空間Ｓ２を有する函体の形状で備えられ得る。
【００３１】
ここで、前記トラッカー本体１１０は前記永久磁石１３０の上部に位置するように前記挿入空間Ｓ２に挿入され得る。これを通じて、前記トラッカー本体１１０とブラケット１２０、２２０、３２０の締結時に磁力感知センサ１１６ａは永久磁石１３０から生成される磁場を検出することができる。
【００３２】
これに伴い、前記物品位置追跡装置１００、２００、３００が管制対象となる物品１０の一側に正常に設置されると、前記トラッカー本体１１０は磁力感知センサ１１６ａを利用した磁場の検出、前記状態感知センサを利用した物品１０および物品１０周囲の多様な情報の獲得、前記通信モジュール１１７を利用した獲得された情報の外部送出をすべて遂行することができる。
【００３３】
このような状態で、前記トラッカー本体１１０が前記ブラケット１２０、２２０、３２０から分離されると、前記磁力感知センサ１１６ａは永久磁石１３０から発生した磁場を検出できないか、非常に微弱な大きさの磁場を検出することができる。
【００３４】
このような場合、前記通信モジュール１１７は図４に図示された通り、前記トラッカー本体１１０に含まれた制御部１１５の駆動を通じて、前記磁力感知センサ１１６ａで感知された磁場に対する情報を外部に送出することができる。
【００３５】
これに伴い、使用者または管理者は前記通信モジュール１１７から受信された情報に基づいて、前記トラッカー本体１１０が盗難や予期せずにブラケット１２０、２２０、３２０から分離された状態であることを認知することができる。これを通じて、使用者または管理者は状況に合う適切な措置を速かに取ることができる。
【００３６】
一方、前記トラッカー本体１１０は図４に図示された通り、外部に警報音を発生させるブザーのような通知部１１８をさらに含むことができる。このような通知部１１８は、前記制御部１１５が前記磁力感知センサ１１６ａから検出された情報に基づいてトラッカー本体１１０がブラケット１２０、２２０、３２０から分離されたと判断する場合、前記制御部１１５の駆動を通じて警報音を発生させることができる。
【００３７】
これによって、前記物品１０を盗んだり、不正な使用のために前記トラッカー本体１１０を前記ブラケット１２０、２２０、３２０から分離すると、前記通知部１１８は周囲に警報音を発生させることができる。これを通じて、本発明の一実施例に係る物品位置追跡装置１００、２００、３００は、前記トラッカー本体１１０を前記ブラケット１２０、２２０、３２０から強制的に分離しようとする試みを事前に遮断することができる。
【００３８】
前記トラッカー本体１１０は前述した通り、ブラケット１２０、２２０、３２０が物品１０に固定された状態で前記ブラケット１２０、２２０、３２０側に結合され得る。これを通じて、前記トラッカー本体１１０は前記物品１０に固定された状態で物品１０および物品１０周囲の状態情報を獲得することができ、獲得された状態情報を通信モジュール１１７を通じて外部に送出することができる。
【００３９】
これを通じて、使用者および管理者は前記トラッカー本体１１０から伝達された情報に基づいて遠隔地から前記物品１０を管制することができる。
【００４０】
一例として、前記トラッカー本体１１０は、前記物品１０および物品１０周囲の状態情報を検出するための少なくとも一つの状態感知センサを含むセンシング部１１６と、前記センシング部１１６を通じて獲得された情報を外部に送出するための通信モジュール１１７を含むことができる。
【００４１】
ここで、前記物品１０の状態情報は、物品の位置情報、物品に加えられる外部衝撃の有無についての情報、並びに物品周辺の温度情報、湿度情報および気圧情報のうち一つ以上の情報を含むことができる。
【００４２】
非制限的な一例として、前記状態感知センサは図５に図示された通り、高度センサ１１６ｂ、温度センサ１１６ｃ、湿度センサ１１６ｄ、位置追跡センサ１１６ｅ、加速度センサ１１６ｆ、衝撃センサ１１６ｇ、気圧センサ１１６ｈのうち一つ以上を含むことができる。すなわち、前記センシング部１１６は前記物品１０および物品１０周囲の状態を獲得するための多様な情報のためのセンサと前述した磁力感知センサ１１６ａを含むことができる。
【００４３】
この時、前記トラッカー本体１１０は前記ブラケット１２０、２２０、３２０と着脱可能に結合され得る。一例として、前記トラッカー本体１１０は圧入方式を通じて前記ブラケット１２０、２２０、３２０の挿入空間Ｓ２に締結されてもよく、ねじ結合方式を通じて前記ブラケット１２０、２２０、３２０の挿入空間Ｓ２に締結されてもよい。
【００４４】
一例として、前記トラッカー本体１１０は上部が開放された収容空間Ｓ１を備えて前記ブラケット１２０、２２０、３２０に着脱可能に結合される下部カバー１１１と、前記下部カバー１１１の開放された上部を覆う上部カバー１１４および全般的な動作を制御するための制御部１１５を含むことができ、少なくとも一つの回路基板１１２および電源供給のためのバッテリー１１３が前記収容空間Ｓ１に配置され得る。
【００４５】
この時、前記少なくとも一つの回路基板１１２は、前記センシング部１１６を構成する前述した感知センサ１１６ａ、１１６ｂ、１１６ｃ、１１６ｄ、１１６ｅ、１１６ｆ、１１６ｇ、１１６ｈと、前記センシング部１１６を通じて獲得された情報を外部に送出するための通信モジュール１１７が実装され得る。
【００４６】
併せて、前記回路基板１１２は前記制御部１１５を構成するＭＣＵのようなチップセットが少なくとも一面に実装され得、前記センシング部１１６を通じて獲得された情報を保存するメモリ部１１９が実装されてもよい。
【００４７】
これに伴い、前記センシング部１１６は前記制御部１１５の駆動を通じて、物品１０および物品の周囲の多様な情報とトラッカー本体１１０およびブラケット１２０、２２０、３２０の分離の有無についての情報を獲得することができる。また、前記通信モジュール１１７は前記センシング部１１６を通じて、獲得された情報を外部に送出することができ、前記メモリ部１１９は前記センシング部１１６を通じて獲得された情報を保存することができる。
【００４８】
一方、前記制御部１１５は前記トラッカー本体１１０とブラケット１２０、２２０、３２０の結合の有無を感知し、前記トラッカー本体１１０とブラケット１２０、２２０、３２０が結合されたと判断する場合、前記バッテリー１１３からトラッカー本体１１０側に電源を供給することができる。
【００４９】
これによって、前記制御部１１５は前記トラッカー本体１１０がブラケット１２０、２２０、３２０に結合された状態または分離された状態に応じて電源の供給を許容したり遮断することによって、前記トラッカー本体１１０の駆動をオン／オフさせることができる。
【００５０】
一例として、前記制御部１１５は前記磁力感知センサ１１６ａを通じて前記永久磁石１３０の磁力が所定の大きさ以上の強度で感知される場合、前記トラッカー本体１１０とブラケット１２０、２２０、３２０が結合されたと判断し、前記トラッカー本体１１０側にバッテリー１１３の電源を供給することができる。
【００５１】
具体的な一例として、前記磁力感知センサ１１６ａは公知のホールセンサであり得る。これを通じて、前記制御部１１５は前記永久磁石１３０から発生する磁場によるホールセンサでの電圧値の変化量に基づいて、前記トラッカー本体１１０とブラケット１２０、２２０、３２０の結合の有無を判断することができる。
【００５２】
これに伴い、前記制御部１１５は前記トラッカー本体１１０がブラケット１２０、２２０、３２０側に結合されたと判断される場合、前記バッテリー１１３からトラッカー本体１１０側に電源を供給することができる。
【００５３】
しかし、前記磁力感知センサ１１６ａの種類をこれに限定するものではなく、前記永久磁石１３０から発生する磁場に基づいてスイッチの機能を遂行できるものであれば制限なく適用され得る。
【００５４】
一方、前記上部カバー１１４は前記収容空間Ｓ１と連通するように形成される少なくとも一つのベントホール１１４ａを含むことができる。このようなベントホール１１４ａは外部の空気が前記収容空間Ｓ１側に流入できるようにすることによって、前記回路基板１１２に実装された温度センサ１１６ｃまたは湿度センサ１１６ｄが円滑に作動できるようにすることができる。
【００５５】
併せて、前記上部カバー１１４は前記上部カバー１１４の露出面に形成されたインジケータホール１１４ｂを含むことができる。この時、前記上部カバー１１４の下部側には前記インジケータホール１１４ｂと対応する位置にインジケータ用エルイーディー１４０が配置され得、前記インジケータ用エルイーディー１４０は前記トラッカー本体１１０に電源が供給される場合、発光することができる。これを通じて、使用者または作業者は前記インジケータホール１１４ｂを通じてインジケータ用エルイーディー１４０の発光の有無を確認することによって、トラッカー本体１１０のオン／オフ状態を容易に識別することができる。ここで、前記エルイーディー１４０は前述した回路基板１１２の一面に実装され得る。
【００５６】
前記ブラケット１２０、２２０、３２０は前述した通り、管制対象である物品１０の一側に固定設置され得る。このようなブラケット１２０、２２０は前記物品１０に固定設置された後、前記物品１０から容易に分離されることが防止され得るように、前記物品１０に埋め立てされてもよく、前記物品１０の一側に固定設置されてもよい。
【００５７】
一例として、前記物品１０は図６に図示された通り、一側に内側に引き込まれる装着ホール１２が形成され得、前記ブラケット１２０は前記装着ホール１２に全高または全長が完全に収容された状態で装着され得る。ここで、前記物品１０はｐａｌｌｅｔであり得るが、これに限定するものではなく、運搬や携帯が可能なものであれば制限なく適用され得る。
【００５８】
この時、前記ブラケット１２０は前記装着ホール１２に圧入方式を通じて挿入され得る。このような場合、前記ブラケット１２０は図１〜図３に図示された通り、外部面に外側に突出形成される少なくとも一つの突出部１２３を含むことができる。これを通じて、前記ブラケット１２０が前記装着ホール１２に圧入されると、前記突出部１２３は前記装着ホール１２の内面と完全に密着した状態を維持することができる。これによって、前記ブラケット１２０は前記突出部１２３を通じて前記装着ホール１２から容易に分離されたり取り出されることが防止され得る。
【００５９】
代案として、前記ブラケット２２０は図６に図示された物品１０の装着ホール１２にねじ結合方式を通じて装着され得る。このために、図７〜図９に図示された通り、前記ブラケット２２０の外面にはねじ部１２４が形成され得、前記装着ホール１２の内面には前記ブラケット２２０の外面に形成されたねじ部１２４と対応するねじ部が形成され得る。
【００６０】
さらに他の代案として、前記ブラケット３２０は前記物品１０の一側にボルト部材のような固定部材を媒介に固定設置され得る。すなわち、前記ブラケット３２０は図１０および図１１に図示された通り、所定の面積を有する板状の固定板３２１と前記固定板３２１から所定の高さで突出形成される中空型の胴体３２２を含むことができ、前述した挿入空間Ｓ２は前記胴体３２２の中空部であり得る。
【００６１】
これに伴い、本実施例に係る盗難防止機能を有する物品位置追跡装置３００は、前記固定板３２１が固定部材を媒介に物品１０の一側に固定設置され得る。これを通じて、前記ブラケット３２０は物品１０の一面に固定され得、前記トラッカー本体１１０は前記胴体３２２に形成された挿入空間Ｓ２に締結され得る。
【００６２】
一方、前記ブラケット１２０、２２０、３２０は前記永久磁石１３０を収容するための収容部１２２を含むことができる。
【００６３】
一例として、前記収容部１２２は図２、図３および図１１に図示された通り、前記ブラケット１２０の底面に一定の深さ引き込まれる装着溝で形成されるか、前記胴体３２２の底面に一定の深さ引き込まれる装着溝で形成され得、前記装着溝は前記永久磁石１３０と対応する大きさを有することができる。
【００６４】
代案として、前記収容部１２２は図９に図示された通り、前記ブラケット２２０の底面から突出形成されるガイド部を通じて形成され得、前記ガイド部が前記永久磁石１３０の縁を支持する形態であり得る。
【００６５】
一方、前記ブラケット１２０、２２０は前記挿入空間Ｓ２の底面に貫通形成された少なくとも一つの締結孔１２１を含むことができる。このような締結孔１２１側にはねじ部材、ピン、釘などのような別途の固定部材が締結され得る。これを通じて、前記ブラケット１２０、２２０は前記装着ホール１２に挿入された状態で前記締結孔１２１を通じて固定部材を媒介に再度固定され得る。
【００６６】
これに伴い、本発明の一実施例に係る物品位置追跡装置１００、２００は前記装着ホール１２に装着されたブラケット１２０、２２０を取り出すことが非常に難しくなり得る。
【００６７】
これによって、前記装着ホール１２から物品位置追跡装置１００、２００全体を強制的に除去するための試みが行われたとしても、ブラケット１２０、２２０が固定部材を通じて前記装着ホール１２に装着された状態を維持できることによって、物品位置追跡装置１００、２００が盗難または紛失する危険をさらに減らすことができる。
【００６８】
たとえ、前記ブラケット１２０、２２０からトラッカー本体１１０が分離されるとしても、前記ブラケット１２０、２２０は装着ホール１２に装着された状態を維持できることによって、磁力感知センサ１１６ａを通じてトラッカー本体１１０とブラケット１２０、２２０との分離状態を感知することができる。これを通じて、前述した通り、トラッカー本体１１０とブラケット１２０、２２０との分離情報を通信モジュール１１７を通じて外部に送出するとともに、通知部１１８を通じて警報音を放出することによって盗難事故の危険を減らすことができる。
【００６９】
一方、本発明の一実施例に係る物品位置追跡装置１００、２００、３００は、前記トラッカー本体１１０がブラケット１２０、２２０、３２０に分離され難い形態で締結され得る。すなわち、前記トラッカー本体１１０は全体のサイズが前記ブラケット１２０、２２０、３２０の挿入空間Ｓ２と略類似するサイズを有することができる。
【００７０】
これを通じて、本発明の一実施例に係る物品位置追跡装置１００、２００、３００は、前記トラッカー本体１１０がブラケット１２０、２２０、３２０に締結されると、ブラケット１２０、２２０、３２０から分離されることが防止され得る。
【００７１】
これによって、本発明の一実施例に係る物品位置追跡装置１００、２００、３００は、前記トラッカー本体１１０がブラケット１２０、２２０、３２０に締結された状態でトラッカー本体１１０が分離されることが防止されることによって、トラッカー本体１１０の盗難を防止することができる。
【００７２】
このような場合、前記トラッカー本体１１０は専用分離道具５００を通じて前記ブラケット１２０、２２０、３２０から容易に分離され得る。
【００７３】
すなわち、本発明の一実施例に係る物品位置追跡装置１００、２００、３００は専用分離道具５００を使う場合にのみ、前記ブラケット１２０、２２０、３２０から前記トラッカー本体１１０を容易に分離することができる。
【００７４】
このために、前記ブラケット１２０、２２０、３２０は図２、図８および図１１に図示された通り、専用分離道具５００の進入を許容できるように、内面に高さ方向に沿って引き込まれて形成される複数のガイド溝１２５を含むことができ、前記トラッカー本体１１０は前記専用分離道具５００の一側が係止されて設置され得るように、周り方向に沿って引き込まれて形成される係止溝１１１ａを含むことができる。
【００７５】
一例として、前記係止溝１１１ａは前記トラッカー本体１１０のうち、下部カバー１１１側に周り方向に沿って引き込まれて形成され得る。
【００７６】
このような係止溝１１１ａは前記トラッカー本体１１０とブラケット１２０、２２０、３２０との分離時に後述する専用分離道具５００の折り曲げ片５２２が締結され得る。
【００７７】
すなわち、前記専用分離道具５００の折り曲げ片５２２は図１３および図１４に図示された通り、前記トラッカー本体１１０がブラケット１２０、２２０、３２０と締結された状態で、前記ブラケット１２０、２２０、３２０に形成されたガイド溝１２５に沿って挿入空間Ｓ２の下部側に移動することができ、前記ガイド溝１２５に沿って挿入空間Ｓ２の下部側に下部に移動した折り曲げ片５２２は前記係止溝１１１ａに装着され得る。
【００７８】
これを通じて、前記折り曲げ片５２２が前記挿入空間Ｓ２から取り出されるように専用分離道具５００を引っ張ると、前記トラッカー本体１１０は前記係止溝１１１ａに装着された折り曲げ片５２２を通じて外力が印加されることによって、前記ブラケット１２０、２２０、３２０から容易に分離され得る。
【００７９】
この時、前記複数のガイド溝１２５は前記ガイド溝１２５に沿って進入する折り曲げ片５２２の進入が容易であるように少なくとも一部が切開形成され得る。
【００８０】
これを通じて、前記ガイド溝１２５の切開された部分１２６は前記挿入空間Ｓ２のガイド溝１２５に沿って折り曲げ片５２２が進入する場合、前記折り曲げ片５２２から印加される加圧力によって弾性的に変形され得る。
【００８１】
これによって、前記折り曲げ片５２２は前記挿入空間Ｓ２のガイド溝１２５に沿って容易に進入することができ、前記係止溝１１１ａと対応する位置に到達し前記係止溝１１１ａに締結され得る。
【００８２】
一方、前記専用分離道具５００は前述した通り，前記ガイド溝１２５に沿って進入する折り曲げ片５２２を含むことができる。
【００８３】
一例として、前記専用分離道具５００は図１３に図示された通り、胴体部５１０および複数の脚部５２０を含むことができ、前記折り曲げ片５２２は前記脚部５２０側に形成され得る。
【００８４】
ここで、前記胴体部５１０は使用者が容易に把持できるように形成された取っ手部５１２を含むことができ、前記複数の脚部５２０は前記胴体部５１０の一面から所定の長さで突出するように形成され得る。
【００８５】
非制限的な一例として、前記複数の脚部５２０は所定の面積を有する板状の連結板５３０から突出され得、前記連結板５３０および複数の脚部５２０は一体に形成され得る。このような場合、前記連結板５３０は前記胴体部５１０の一面に固定設置され得る。
【００８６】
また、前記複数の脚部５２０は前記連結板５３０から延びる長さ部５２１と前記の長さ部５２１の端部から前記の長さ部５２１と重なる方向に折り曲げられる折り曲げ片５２２を含むことができる。
【００８７】
このような複数の脚部５２０は、前記トラッカー本体１１０が前記ブラケット１２０、２２０、３２０の挿入空間Ｓ２に締結された状態で、互いに向き合うトラッカー本体１１０およびブラケット１２０、２２０、３２０の内面間に形成された隙間に挿入され得、前記折り曲げ片５２２を含む端部側が前記ブラケット１２０、２２０、３２０に形成されたガイド溝１２５に沿って進入することができる。
【００８８】
これを通じて、前記ガイド溝１２５は前記折り曲げ片５２２を含む脚部５２０の端部側が進入が容易でない場合が発生しても、前記脚部５２０の端部側との接触を通じて切開された部分１２６が弾性的に後退して前記折り曲げ片５２２を含む脚部５２０の端部側が進入できる空間を確保することができる。
【００８９】
これによって、前記折り曲げ片５２２は前記トラッカー本体１１０の係止溝１１１ａに容易に締結され得る。このような状態で前記取っ手部５１２を通じて前記専用分離道具５００を引っ張ると、前記トラッカー本体１１０は前記折り曲げ片５２２および係止溝１１１ａが締結された状態で外部に取り出され得る。これに伴い、前記トラッカー本体１１０はブラケット１２０、２２０、３２０から分離され得る。
【００９０】
これによって、本発明の一実施例に係る物品位置追跡装置１００、２００、３００は前記トラッカー本体１１０が前記ブラケット１２０、２２０、３２０から分離が容易でないように装着されても、前記専用分離道具５００を利用して前記ブラケット１２０、２２０、３２０からトラッカー本体１１０を手軽に分離することができる。
【００９１】
これを通じて、本発明の一実施例に係る物品位置追跡装置１００、２００、３００は、前記専用分離道具５００を利用してトラッカー本体１１０をブラケット１２０、２２０、３２０から容易に分離できることによって、前記収容空間Ｓ１に配置されたバッテリー１１３を手軽に取り換えたり、物品１０の運送が完了した場合、トラッカー本体１１０をブラケット１２０、２２０、３２０から容易に除去することができる。
【００９２】
図面には複数の脚部５２０が連結板５３０から一方向に一定の長さ突出するものとして図示したが、これに限定されず、前記複数の脚部５２０は前記胴体部５１０から直接突出形成されてもよい。
【００９３】
一方、本発明の一実施例に係る盗難防止機能を有する物品位置追跡装置４００は、ブラケット４２０の形状を変更することによってトラッカー本体１１０がブラケット４２０から分離されることを根本的に遮断することもできる。
【００９４】
具体的には、前記ブラケット４２０は図１２〜図１４に図示された通り、所定の面積を有する板状の固定板３２１と、前記固定板３２１から所定の高さで突出形成されて上、下部が開放された中空型の胴体３２２を含むことができ、前記胴体３２２の中空部は前記トラッカー本体１１０を収容するための挿入空間Ｓ２であり得る。
【００９５】
この時、前記ブラケット４２０は図１３に図示された通り、胴体３２２の上縁に沿って内側に突出形成される拘束部３２３を含むことができ、前記固定板３２１は図１５に図示された通り、前記物品１０の一側にボルト部材のような固定部材を媒介に固定設置され得る。
【００９６】
これに伴い、本実施例に係る盗難防止機能を有する物品位置追跡装置４００は、前記トラッカー本体１１０を前記本体３３２の挿入空間Ｓ２に挿入した後、前記固定板３２１を物品１０の一面に固定すると、前記トラッカー本体１１０の下部面は前記物品１０の一面と対面するように配置され得る。また、前記挿入空間Ｓ２ｄに収容されたトラッカー本体１１０は上縁側が前記拘束部３２３を通じて拘束され得る。
【００９７】
これによって、前記トラッカー本体１１０は前記拘束部３２３を通じて、前記胴体３２２の挿入空間Ｓ２から分離されることを物理的に防止することができる。
【００９８】
本実施例で、前記トラッカー本体１１０は前述した実施例と同様に、下部カバー１１１、回路基板１１２、バッテリー１１３、上部カバー１１４、制御部１１５、センシング部１１６、通信モジュール１１７、通知部１１８およびメモリ部１１９をすべて含むことができ、細部的な役割および作動関係は前述した実施例と同じであるため、詳細な説明は省略することにする。
【００９９】
また、本実施例の場合、前述した実施例と同様にトラッカー本体１１０およびブラケット４２０側に前述した磁力感知センサ１１６ａおよび永久磁石１３０が備えられてもよいが、前記物品１０に装着された状態でブラケット４２０からトラッカー本体１１０のみを物理的に分離することが非常に難しい状態であるので、前述した磁力感知センサ１１６ａおよび永久磁石１３０は省略されてもよい。
【０１００】
一方、前述した物品位置追跡装置１００、２００、３００、４００はトラッカー本体２１０が異なる形態で構成されてもよい。
【０１０１】
すなわち、本発明の一実施例に係る物品位置追跡装置１００、２００、３００、４００は、図１〜図３、図７〜図１５に図示されたトラッカー本体１１０が図１９および図２０に図示されたトラッカー本体２１０に代替され得る。
【０１０２】
具体的には、前記トラッカー本体２１０は上部が開放された収容空間Ｓ１を備えて前記ブラケット１２０、２２０、３２０、４２０に着脱可能に結合される下部カバー２１１と、前記下部カバー２１１の開放された上部を覆う上部カバー２１４を含むことができ、前記収容空間Ｓ１に少なくとも一つの回路基板２１２および電源供給のためのバッテリー１１３が配置され得る。
【０１０３】
また、前記トラッカー本体２１０は前述したトラッカー本体１１０と同一の制御部１１５、センシング部１１６および通信モジュール１１７を含むことができる。一例として、本実施例のトラッカー本体２１０は図４および図５に図示された内容がそのまま採用され得る。
【０１０４】
すなわち、前記少なくとも一つの回路基板２１２側には、前記センシング部１１６を構成する感知センサ１１６ａ、１１６ｂ、１１６ｃ、１１６ｄ、１１６ｅ、１１６ｆ、１１６ｇ、１１６ｈと、前記センシング部１１６を通じて獲得された情報を外部に送出するための通信モジュール１１７が実装され得る。
【０１０５】
併せて、前記回路基板２１２の少なくとも一面には、前記制御部１１５を構成するＭＣＵのようなチップセットが実装され得、前記センシング部１１６を通じて獲得された情報を保存するメモリ部１１９が実装されてもよい。
【０１０６】
ここで、前記センシング部１１６を通じて獲得された情報は、物品の位置情報、物品に加えられる外部衝撃の有無についての情報、並びに物品周辺の温度情報、湿度情報、気圧情報およびトラッカー本体２１０とブラケット１２０、２２０、３２０、４２０との分離の有無についての情報のうち一つ以上の情報を含むことができる。
【０１０７】
これに伴い、前記センシング部１１６は前記制御部１１５の駆動を通じて、物品１０および物品の周囲の多様な情報とトラッカー本体２１０およびブラケット１２０、２２０、３２０、４２０の分離の有無についての情報を獲得することができる。また、前記通信モジュール１１７は前記センシング部１１６を通じて獲得された情報を外部に送出することができ、前記メモリ部１１９は前記センシング部１１６を通じて獲得された情報を保存することができる。
【０１０８】
併せて、前記制御部１１５は前記トラッカー本体２１０とブラケット１２０、２２０、３２０の結合の有無を感知し、前記トラッカー本体２１０とブラケット１２０、２２０、３２０が結合されたと判断する場合、前記バッテリー１１３からトラッカー本体２１０側に電源を供給することができる。これに対する具体的な作動関係は前述した実施例のトラッカー本体１１０と同じであるため、詳細な説明は省略することにする。
【０１０９】
一方、前記上部カバー２１４は前記収容空間Ｓ１と連通するように形成される少なくとも一つのベントホール２１４ａと、インジケータホール２１４ｂを含むことができ、前記上部カバー２１４の下部側には前記インジケータホール２１４ｂと対応する位置にインジケータ用エルイーディー１４０が配置され得る。
【０１１０】
本実施例で、ベントホール２１４ａ、インジケータホール２１４ｂおよびインジケータ用エルイーディー１４０の役割および作動関係は、前述した実施例と同じであるため、詳細な説明は省略することにする。
【０１１１】
この時、本実施例に係るトラッカー本体２１０は端子部材２１３とホルダー部材２１５をさらに含むことができる。
【０１１２】
このような端子部材２１３およびホルダー部材２１５は前記収容空間Ｓ１に配置され得、前記端子部材２１３は回路基板２１２の下部に配置され得、前記ホルダー部材２１５は前記回路基板２１２の上部側に配置され得る。
【０１１３】
また、前記端子部材２１３およびホルダー部材２１５は図２１に図示された通り、一側が前記回路基板２１２とそれぞれ締結され得、前記バッテリー１１３は一面が前記端子部材２１３と接触するように前記端子部材２１３および回路基板２１２の間に配置され得る。
【０１１４】
ここで、前記端子部材２１３は前記バッテリー１１３と回路基板２１２を電気的に連結させることができ、前記ホルダー部材２１５は前記上部カバー２１４を固定することができる。
【０１１５】
具体的には、前記端子部材２１３は所定の面積を有する板状の支持板２１３ａと前記支持板２１３ａから一定高さ突出する複数の高さ部２１３ｂを含むことができ、前記バッテリー１１３は前記複数の高さ部２１３ｂおよび支持板２１３ａを通じて形成される空間側に配置され得る。
【０１１６】
この時、前記支持板２１３ａは前記バッテリー１１３と円滑に接触できるように弾性片２１３ｃを含むことができる。このような弾性片２１３ｃは前記支持板２１３ａの一部が切開されて形成され得、一端が前記支持板２１３ａに一体で連結されることによって弾性的に変形され得る。
【０１１７】
これによって、前記バッテリー１１３は前記弾性片２１３ｃを通じて常に接触した状態を維持することができる。
【０１１８】
また、前記複数の高さ部２１３ｂのうち一部は前記回路基板２１２との締結のための役割を遂行することができ、残りは前記回路基板２１２と電気的な連結のための役割を遂行することができる。
【０１１９】
一方、前記ホルダー部材２１５は下部側が前記回路基板２１２と結合され得、上部側に前記上部カバー２１４を固定するための少なくとも一つの締結溝２１５ａが形成され得る。一例として、前記ホルダー部材２１５は中空型で形成され得、下縁側に形成された少なくとも一つの締結具２１５ｂを媒介に前記回路基板２１２に結合され得、上縁側に前記少なくとも一つの締結溝２１５ａが形成され得る。
【０１２０】
このような場合、前記上部カバー２１４は図２０に図示された通り、周り方向に沿って外側に突出する少なくとも一つの締結具２１４ｃを含むことができる。
【０１２１】
これに伴い、前記上部カバー２１４は前記締結具２１４ｃが前記ホルダー部材２１５に形成された締結溝２１５ａ側に挿入され得る。これによって、前記上部カバー２１４は前記下部カバー２１１の開放された上部を覆って前記ホルダー部材２１５に固定され得る。
【０１２２】
一方、本実施例に係るトラッカー本体２１０は、前述したトラッカー本体１１０と同様に、前述した専用分離道具５００を利用してブラケット１２０、２２０、３２０から分離され得るように係止溝２１１ａを含むことができる。一例として、前記係止溝２１１ａは下部カバー２１１の周面に沿って形成され得る。
【０１２３】
このような係止溝２１１ａは前述した実施例の係止溝１１１ａと役割および作動関係が同じであるため、詳細な説明は省略することにする。
【０１２４】
図２０で未説明符号２１６は気密性のためのＯ−リングのようなシーリング部材であり得、２１７は前述した通信モジュール１１７を構成するためのアンテナであり得る。
【０１２５】
前述した物品位置追跡装置１００、２００、３００、４００は、盗難防止および着脱の通知が要求される多様な分野に採択され得、安全かつ信頼できる物品遠隔管制システムを構築することができる。
【０１２６】
また、前記物品位置追跡装置１００、２００、３００、４００は前述した通り、トラッカー本体１１０、２１０に含まれた多様なセンサを通じて、物品自体の使用環境をモニタリングすることができ、不正な再使用を防止することができる。
【０１２７】
併せて、前述した説明では、図１〜図３、図７〜図１５に図示された物品位置追跡装置１００、２００、３００が磁力感知センサ１１６ａおよび永久磁石１３０を含むものとして説明したが、これに限定されず、前記物品位置追跡装置１００、２００、３００は磁力感知センサ１１６ａおよび永久磁石１３０が省略されてもよい。
【０１２８】
以上、本発明の一実施例について説明したが、本発明の思想は本明細書に提示される実施例に制限されず、本発明の思想を理解する当業者は同一思想の範囲内で、構成要素の付加、変更、削除、追加などによって他の実施例を容易に提案することができ、これも本発明の思想範囲内に含まれるものと解釈されるべきである。
【図１】
2021514085.tif 000003
【図２】
2021514085.tif 000004
【図３】
2021514085.tif 000005
【図４】
2021514085.tif 000006
【図５】
2021514085.tif 000007
【図６】
2021514085.tif 000008
【図７】
2021514085.tif 000009
【図８】
2021514085.tif 000010
【図９（ａ）】
2021514085.tif 000011
【図９（ｂ）】
2021514085.tif 000012
【図１０】
2021514085.tif 000013
【図１１】
2021514085.tif 000014
【図１２】
2021514085.tif 000015
【図１３】
2021514085.tif 000016
【図１４】
2021514085.tif 000017
【図１５】
2021514085.tif 000018
【図１６】
2021514085.tif 000019
【図１７（ａ）】
2021514085.tif 000020
【図１７（ｂ）】
2021514085.tif 000021
【図１８】
2021514085.tif 000022
【図１９】
2021514085.tif 000023
【図２０】
2021514085.tif 000024
【図２１】
2021514085.tif 000025
【国際調査報告】
2021514085.tif 000026
2021514085.tif 000027
2021514085.tif 000028
2021514085.tif 000029